【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
受信信号のマルチパスの影響を軽減する適応フィルタと、
係数の変更によって前記受信信号が劣化してしまう条件が成立しているか否かを判断する判断手段とを備え、
前記適応フィルタは、
マルチパスの影響を軽減するための係数を算出する算出手段と、
算出された係数に基づいて係数を更新する更新手段と、
前記判断手段による判断結果に基づいて前記係数の更新動作を抑制する更新許可手段とを具備することを特徴とする軽減装置。
【請求項２】
前記判断手段は、前記受信信号に過変調が生じているか否かを判断することを特徴とする請求項１記載の軽減装置。
【請求項３】
前記判断手段は、前記受信信号の周波数偏移量から変調度を検出する変調度検出手段と、前記変調度と予め定められている周波数帯域との比較を行う比較手段とを有することを特徴とする請求項２記載の軽減装置。
【請求項４】
前記判断手段は、妨害波に対する混信対策に基づいて過変調が生じているか否かを判断することを特徴とする請求項２記載の軽減装置。
【請求項５】
妨害波の有無を検出する妨害波検出手段と、
前記妨害波検出手段によって検出された妨害波に基づいて受信信号の通過帯域を制限する帯域通過フィルタとを具備し、
前記判断手段は、前記受信信号の周波数偏移量から変調度を検出する変調度検出手段と、前記変調度と前記帯域通過フィルタによって制限された通過帯域との比較を行う比較手段とを有することを特徴とする請求項４記載の軽減装置。
【請求項６】
前記判断手段は、時定数に応じて変化させた信号に基づいて受信信号に過変調が生じているか否かを判断することを特徴とする請求項２または４記載の軽減装置。
【請求項７】
前記判断手段は、前記受信信号の電界強度が弱電界以下の電界強度であるか否かを判断することを特徴とする請求項１記載の軽減装置。
【請求項８】
前記判断手段は、前記受信信号からの電界強度情報を取得する電界情報取得手段と、前記電界強度情報が弱電界であるか否かの比較を行う比較手段とを有することを特徴とする請求項７記載の軽減装置。
【請求項９】
前記判断手段は、ダイバシティ受信動作に伴うアンテナ切換えの有無を判断することを特徴とする請求項１記載の軽減装置。
【請求項１０】
前記判断手段は、前記受信信号に外来ノイズが生じているか否かを判断することを特徴とする請求項１記載の軽減装置。
【請求項１１】
受信信号のマルチパスの影響を軽減する適応フィルタと、
前記受信信号に過変調が生じているか否かを判断する過変調判断手段と、
前記受信信号の電界強度が弱電界以下の電界強度であるか否かを判断する弱電界判断手段とを備え、
前記適応フィルタは、
マルチパスの影響を軽減するための係数を算出する算出手段と、
算出された係数に基づいて係数を更新する更新手段と、
前記過変調判断手段および前記弱電界判断手段のいずれか一方による判断結果に基づいて前記係数の更新動作を抑制する更新許可手段とを具備することを特徴とする軽減装置。
【請求項１２】
前記過変調判断手段は、前記受信信号の周波数偏移量から変調度を検出する変調度検出手段と、前記変調度と帯域通過フィルタによって制限された通過帯域との比較を行う第１比較手段とを有し、
前記弱電界判断手段は、前記受信信号から電界強度情報を取得する電界情報取得手段と、前記電界強度情報が弱電界であるか否かの比較を行う第２比較手段とを有することを特徴とする請求項１１記載の軽減装置。
【請求項１３】
信号を受信するアンテナと、
受信信号をデジタル信号に変換する変換手段と、
受信信号のマルチパスの影響を軽減する適応フィルタと、
係数の変更によって前記受信信号が劣化してしまう条件が成立しているか否かを判断する判断手段とを備え、
前記適応フィルタは、
マルチパスの影響を軽減するための係数を算出する算出手段と、
算出された係数に基づいて係数を更新する更新手段と、
前記判断手段による判断結果に基づいて前記係数の更新動作を抑制する更新許可手段とを具備することを特徴とする受信装置。
【請求項１４】
信号を受信するアンテナと、
受信信号をデジタル信号に変換する変換手段と、
受信信号のマルチパスの影響を軽減する適応フィルタと、
前記受信信号に過変調が生じているか否かを判断する過変調判断手段と、
前記受信信号の電界強度が弱電界以下の電界強度であるか否かを判断する弱電界判断手段とを備え、
前記適応フィルタは、
マルチパスの影響を軽減するための係数を算出する算出手段と、
算出された係数に基づいて係数を更新する更新手段と、
前記過変調判断手段および前記弱電界判断手段のいずれか一方による判断結果に基づいて前記係数の更新動作を抑制する更新許可手段とを具備することを特徴とする受信装置。
【請求項１５】
前記過変調判断手段は、前記受信信号の周波数偏移量から変調度を検出する変調度検出手段と、前記変調度と帯域通過フィルタによって制限された通過帯域との比較を行う第１比較手段とを有し、
前記弱電界判断手段は、前記受信信号から電界強度情報を取得する電界情報取得手段と、前記電界強度情報が弱電界であるか否かの比較を行う第２比較手段とを有することを特徴とする請求項１４記載の受信装置。
【請求項１６】
信号のマルチパスの影響を軽減するための係数を算出する係数算出ステップと、
前記係数の更新によって前記信号が劣化してしまう条件が成立しているか否かを判断する判断ステップと、
該判断結果に基づいて前記係数の更新動作を抑制する更新許可ステップと、
算出された係数に基づいて係数を更新する更新ステップとから成ることを特徴とする軽減方法。
【請求項１７】
信号のマルチパスの影響を軽減するための係数を算出する係数算出ステップと、
前記信号に過変調が生じているか否かを判断する過変調判断ステップと、
前記信号の電界強度が弱電界以下の電界強度であるか否かを判断する弱電界判断ステップと、
前記過変調判断ステップおよび前記弱電界判断ステップのいずれか一方による判断結果に基づいて前記係数の更新動作を抑制する更新許可ステップと、
算出された係数に基づいて係数を更新する更新ステップとから成ることを特徴とする軽減方法。
【請求項１８】
前記過変調判断ステップは、前記信号の周波数偏移量から変調度を検出する変調度検出ステップと、前記変調度と帯域通過フィルタによって制限された通過帯域との比較を行う第１比較ステップとから成り、
前記弱電界判断ステップは、前記信号から電界強度情報を取得する電界情報取得ステップと、前記電界強度情報が弱電界であるか否かの比較を行う第２比較ステップとから成ることを特徴とする請求項１７記載の軽減方法。
【手続補正２】
【補正対象書類名】明細書
【補正対象項目名】発明の名称
【補正方法】変更
【補正の内容】
【発明の名称】軽減装置および方法、ならびに受信装置
【手続補正３】
【補正対象書類名】明細書
【補正対象項目名】０００１
【補正方法】変更
【補正の内容】
【０００１】
本発明は、振幅一定の変調方式で変調されて送信される無線電波を受信する際に、伝搬中に受けるマルチパスノイズを軽減するための軽減装置および方法、ならびに受信装置に関する。
【手続補正４】
【補正対象書類名】明細書
【補正対象項目名】０００５
【補正方法】変更
【補正の内容】
【０００５】
図１９は、ＡＤＦ２でＦＭ信号からマルチパスの影響で生じるマルチパス歪みを除去する演算処理のための構成を示す。ＡＤＦ２に入力されるデジタル化されたＩＦ信号ｘ（ｎ）は、サンプリング周波数をｆｓとし、ＩＦ信号のキャリア周波数をｆｃとすると、ｃｏｓ（２πｆｃ／ｆｓ）の信号とＩ信号分解手段１２で掛け合わされて生成されるＩ信号ｘｉ（ｎ）と、ｓｉｎ（２πｆｃ／ｆｓ）の信号とＱ信号分解手段１３で掛け合わされて生成されるＱ信号ｘｑ（ｎ）とに分解される。Ｉ信号ｘｉ（ｎ）およびＱ信号ｘｑ（ｎ）は、可変フィルタ部８と、係数メモリ９およびフィルタ係数算出手段１０としてのフィルタ係数更新部とに入力される。フィルタ係数更新部からは、可変フィルタ部８に、フィルタ係数ａ（ｎ），ｂ（ｎ）が出力される。可変フィルタ部８では、入力されたＩ，Ｑ信号ｘｉ（ｎ），ｘｑ（ｎ）に、係数ａ（ｎ），ｂ（ｎ）をそれぞれ掛ける演算処理の結果を、出力ｙｉ（ｎ），ｙｑ（ｎ）として導出する。出力ｙｉ（ｎ），ｙｑ（ｎ）は、ＦＭ検波器５と、フィルタ係数更新部と、エンベロープ算出手段１１である包絡線誤差算出部とにそれぞれ入力される。包絡線誤差算出部では、誤差ｅ（ｎ）を算出し、フィルタ係数更新部に与える。
【手続補正５】
【補正対象書類名】明細書
【補正対象項目名】００１８
【補正方法】変更
【補正の内容】
【００１８】
本発明の目的は、適応フィルタによるマルチパスノイズ軽減での従来手法による技術的、性能的欠点を補い、無線電波の信号を快適に受信することが可能な軽減装置および受信装置を提供することである。
【手続補正６】
【補正対象書類名】明細書
【補正対象項目名】００１９
【補正方法】変更
【補正の内容】
【００１９】
本発明は、受信信号のマルチパスの影響を軽減する適応フィルタと、
係数の変更によって前記受信信号が劣化してしまう条件が成立しているか否かを判断する判断手段とを備え、
前記適応フィルタは、
マルチパスの影響を軽減するための係数を算出する算出手段と、
算出された係数に基づいて係数を更新する更新手段と、
前記判断手段による判断結果に基づいて前記係数の更新動作を抑制する更新許可手段とを具備することを特徴とする軽減装置である。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
さらに本発明の前記判断手段は、前記受信信号に過変調が生じているか否かを判断することを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
また本発明の前記判断手段は、前記受信信号の周波数偏移量から変調度を検出する変調度検出手段と、前記変調度と予め定められている周波数帯域との比較を行う比較手段とを有することを特徴とする。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】変更
【補正の内容】
【００２５】
また本発明の前記判断手段は、妨害波に対する混信対策に基づいて過変調が生じているか否かを判断することを特徴とする。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
また本発明は、妨害波の有無を検出する妨害波検出手段と、
前記妨害波検出手段によって検出された妨害波に基づいて受信信号の通過帯域を制限する帯域通過フィルタとを具備し、
前記判断手段は、前記受信信号の周波数偏移量から変調度を検出する変調度検出手段と、前記変調度と前記帯域通過フィルタによって制限された通過帯域との比較を行う比較手段とを有することを特徴とする。
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】変更
【補正の内容】
【００２９】
また本発明の前記判断手段は、時定数に応じて変化させた信号に基づいて受信信号に過変調が生じているか否かを判断することを特徴とする。
また本発明の前記判断手段は、前記受信信号の電界強度が弱電界以下の電界強度であるか否かを判断することを特徴とする。
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】変更
【補正の内容】
【００３１】
また本発明の前記判断手段は、前記受信信号からの電界強度情報を取得する電界情報取得手段と、前記電界強度情報が弱電界であるか否かの比較を行う比較手段とを有することを特徴とする。
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】変更
【補正の内容】
【００３３】
さらに本発明の前記判断手段は、ダイバシティ受信動作に伴うアンテナ切換えの有無を判断することを特徴とする。
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】変更
【補正の内容】
【００３５】
さらに本発明の前記判断手段は、前記受信信号に外来ノイズが生じているか否かを判断することを特徴とする。
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】変更
【補正の内容】
【００３７】
また本発明は、受信信号のマルチパスの影響を軽減する適応フィルタと、
前記受信信号に過変調が生じているか否かを判断する過変調判断手段と、
前記受信信号の電界強度が弱電界以下の電界強度であるか否かを判断する弱電界判断手段とを備え、
前記適応フィルタは、
マルチパスの影響を軽減するための係数を算出する算出手段と、
算出された係数に基づいて係数を更新する更新手段と、
前記過変調判断手段および前記弱電界判断手段のいずれか一方による判断結果に基づいて前記係数の更新動作を抑制する更新許可手段とを具備することを特徴とする軽減装置である。
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】変更
【補正の内容】
【００３９】
さらに本発明の前記過変調判断手段は、前記受信信号の周波数偏移量から変調度を検出する変調度検出手段と、前記変調度と帯域通過フィルタによって制限された通過帯域との比較を行う第１比較手段とを有し、
前記弱電界判断手段は、前記受信信号から電界強度情報を取得する電界情報取得手段と、前記電界強度情報が弱電界であるか否かの比較を行う第２比較手段とを有することを特徴とする。
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】変更
【補正の内容】
【００４１】
さらに本発明は、信号を受信するアンテナと、
受信信号をデジタル信号に変換する変換手段と、
受信信号のマルチパスの影響を軽減する適応フィルタと、
係数の変更によって前記受信信号が劣化してしまう条件が成立しているか否かを判断する判断手段とを備え、
前記適応フィルタは、
マルチパスの影響を軽減するための係数を算出する算出手段と、
算出された係数に基づいて係数を更新する更新手段と、
前記判断手段による判断結果に基づいて前記係数の更新動作を抑制する更新許可手段とを具備することを特徴とする受信装置である。
さらに本発明は、信号を受信するアンテナと、
受信信号をデジタル信号に変換する変換手段と、
受信信号のマルチパスの影響を軽減する適応フィルタと、
前記受信信号に過変調が生じているか否かを判断する過変調判断手段と、
前記受信信号の電界強度が弱電界以下の電界強度であるか否かを判断する弱電界判断手段とを備え、
前記適応フィルタは、
マルチパスの影響を軽減するための係数を算出する算出手段と、
算出された係数に基づいて係数を更新する更新手段と、
前記過変調判断手段および前記弱電界判断手段のいずれか一方による判断結果に基づいて前記係数の更新動作を抑制する更新許可手段とを具備することを特徴とする受信装置である。
さらに本発明の前記過変調判断手段は、前記受信信号の周波数偏移量から変調度を検出する変調度検出手段と、前記変調度と帯域通過フィルタによって制限された通過帯域との比較を行う第１比較手段とを有し、
前記弱電界判断手段は、前記受信信号から電界強度情報を取得する電界情報取得手段と、前記電界強度情報が弱電界であるか否かの比較を行う第２比較手段とを有することを特徴とする。
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】変更
【補正の内容】
【００４３】
さらに本発明は、信号のマルチパスの影響を軽減するための係数を算出する係数算出ステップと、
前記係数の更新によって前記信号が劣化してしまう条件が成立しているか否かを判断する判断ステップと、
該判断結果に基づいて前記係数の更新動作を抑制する更新許可ステップと、
算出された係数に基づいて係数を更新する更新ステップとから成ることを特徴とする軽減方法である。
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】変更
【補正の内容】
【００４５】
さらに本発明は、信号のマルチパスの影響を軽減するための係数を算出する係数算出ステップと、
前記信号に過変調が生じているか否かを判断する過変調判断ステップと、
前記信号の電界強度が弱電界以下の電界強度であるか否かを判断する弱電界判断ステップと、
前記過変調判断ステップおよび前記弱電界判断ステップのいずれか一方による判断結果に基づいて前記係数の更新動作を抑制する更新許可ステップと、
算出された係数に基づいて係数を更新する更新ステップとから成ることを特徴とする軽減方法である。
さらに本発明の前記過変調判断ステップは、前記信号の周波数偏移量から変調度を検出する変調度検出ステップと、前記変調度と帯域通過フィルタによって制限された通過帯域との比較を行う第１比較ステップとから成り、
前記弱電界判断ステップは、前記信号から電界強度情報を取得する電界情報取得ステップと、前記電界強度情報が弱電界であるか否かの比較を行う第２比較ステップとから成ることを特徴とする。
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】変更
【補正の内容】
【００４７】
本発明によれば、軽減装置は適応フィルタを備え、判断手段を含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。判断手段は、適応フィルタの係数の変更によって受信信号が劣化してしまう条件が成立しているか否かを判断する。更新許可手段は、判断手段による判断結果に基づいて係数の更新動作を抑制するので、適応フィルタによるマルチパスノイズ軽減での従来手法による技術的、性能的欠点を補い、無線電波の信号を快適に受信することが可能となる。
【手続補正３５】
【補正対象書類名】明細書
【補正対象項目名】００４８
【補正方法】変更
【補正の内容】
【００４８】
さらに本発明によれば、判断手段は、受信信号に過変調が生じているか否かを判断するので、その判断結果に基づいて、更新許可手段によって係数の更新動作を抑制し、これによって、適応フィルタによるマルチパスノイズ軽減での従来手法による技術的、性能的欠点を補い、無線電波の信号を快適に受信することが可能となる。
【手続補正３６】
【補正対象書類名】明細書
【補正対象項目名】００４９
【補正方法】変更
【補正の内容】
【００４９】
また本発明によれば、判断手段による過変調が生じているか否かの判断は、変調度と予め定められている周波数帯域との比較に基づいて行うので、実際に影響が生じる過変調であるか否かを判断することができる。
【手続補正３７】
【補正対象書類名】明細書
【補正対象項目名】００５０
【補正方法】変更
【補正の内容】
【００５０】
また本発明によれば、妨害波に対する混信対策に基づいて過変調が生じているか否かを判断するので、妨害波によって生じる過変調の影響を確実に除くことができる。
また本発明によれば、判断手段による過変調が生じているか否かの判断は、変調度と帯域通過フィルタによって制限された通過帯域との比較に基づいて行うので、実際に影響が生じる過変調であるか否かを判断することができる。
【手続補正３８】
【補正対象書類名】明細書
【補正対象項目名】００５１
【補正方法】変更
【補正の内容】
【００５１】
また本発明によれば、判断手段での過変調の判断は、時定数に応じて変化させた信号に基づいて行うので、判断が過敏にならず、誤検出を防止することができる。過変調が実際に発生していれば、変調度検出信号はマルチパスノイズに比較して長期間継続するので、該変調度検出信号を時定数に応じて変化させても過変調を充分に検出可能であり、適応フィルタの動作を抑制する効果を充分に得ることができる。
【手続補正３９】
【補正対象書類名】明細書
【補正対象項目名】００５２
【補正方法】変更
【補正の内容】
【００５２】
また本発明によれば、過変調時とともに、弱電界時にも適応フィルタの動作を抑制するので、適応フィルタの動作によって受信信号がかえって劣化するような状況を避けることができる。
【手続補正４０】
【補正対象書類名】明細書
【補正対象項目名】００５３
【補正方法】変更
【補正の内容】
【００５３】
さらに本発明によれば、電界情報取得手段によって取得された受信信号からの電界強度情報が、弱電界であるか否かを比較手段によって判断し、弱電界であると判断すると、適応フィルタの動作が抑制されるので、適応フィルタによるマルチパスノイズ軽減での従来手法による技術的、性能的欠点を補い、無線電波の信号を快適に受信することが可能となる。
【手続補正４１】
【補正対象書類名】明細書
【補正対象項目名】００５４
【補正方法】変更
【補正の内容】
【００５４】
さらに本発明によれば、判断手段は、ダイバシティ受信動作が行われるときに、ダイバシティ受信動作に伴う切換えの有無で、適応フィルタの係数の変更によって受信信号が劣化してしまう条件が成立しているか否かを判断し、切換え有りと判断すると、適応フィルタの動作を抑制するので、適応フィルタによるマルチパスノイズ軽減での従来手法による技術的、性能的欠点を補い、無線電波の信号を快適に受信することが可能となる。
【手続補正４２】
【補正対象書類名】明細書
【補正対象項目名】００５５
【補正方法】変更
【補正の内容】
【００５５】
また本発明によれば、判断手段は、外来ノイズ発生の有無で、適応フィルタの係数の変更が受信信号を劣化させる予め定める条件が成立しているか否かを判断し、外来ノイズ発生有りと判断すると、適応フィルタの動作を抑制するので、適応フィルタによるマルチパスノイズ軽減での従来手法による技術的、性能的欠点を補い、無線電波の信号を快適に受信することが可能となる。
【手続補正４３】
【補正対象書類名】明細書
【補正対象項目名】００５６
【補正方法】変更
【補正の内容】
【００５６】
さらに本発明によれば、軽減装置は適応フィルタを備え、過変調判断手段と弱電界判断手段とを含む。適応フィルタは、振幅に変化が生じない変調方式の無線電波を受信する際に、無線電波の伝搬過程で生じるマルチパスの影響を軽減するために、受信信号の振幅変動分を検出しながら可変フィルタのフィルタ係数を振幅変動を抑えるように更新する動作を行う。過変調判断手段によって受信信号に過変調が生じているか否かが判断され、弱電界判断手段によって受信信号の電界強度が弱電界以下の電界強度であるか否かが判断される。
さらに本発明によれば、過変調判断手段では、変調度検出手段によって検出された変調度と帯域通過フィルタによって制限された通過帯域との比較を第１比較手段によって行う。弱電界判断手段では、電界情報取得手段によって取得された受信信号からの電界強度情報が、弱電界であるか否かを第２比較手段によって判断する。更新許可手段は、過変調判断手段および弱電界判断手段のいずれか一方による判断結果に基づいて係数の更新動作を抑制するので、より高精度な制御が可能となり、適応フィルタによるマルチパスノイズ軽減での従来手法による技術的、性能的欠点を補い、無線電波の信号を快適に受信することが可能となる。
【手続補正４４】
【補正対象書類名】明細書
【補正対象項目名】００５７
【補正方法】変更
【補正の内容】
【００５７】
さらに本発明によれば、受信装置は、アンテナで受信した信号を変換手段によってデジタル信号に変換して、適応フィルタを用いるデジタル信号処理を行う。判断手段は、適応フィルタの係数の変更によって受信信号が劣化してしまう条件が成立しているか否かを判断する。更新許可手段は、判断手段による判断結果に基づいて係数の更新動作を抑制するので、適応フィルタによるマルチパスノイズ軽減での従来手法による技術的、性能的欠点を補い、無線電波の信号を快適に受信することが可能になる。
さらに本発明によれば、受信装置は、アンテナで受信した信号を変換手段によってデジタル信号に変換して、適応フィルタを用いるデジタル信号処理を行う。過変調判断手段によって受信信号に過変調が生じているか否かが判断され、弱電界判断手段によって受信信号の電界強度が弱電界以下の電界強度であるか否かが判断される。
さらに本発明によれば、過変調判断手段では、変調度検出手段によって検出された変調度と帯域通過フィルタによって制限された通過帯域との比較を第１比較手段によって行う。弱電界判断手段では、電界情報取得手段によって取得された受信信号からの電界強度情報が、弱電界であるか否かを第２比較手段によって判断する。更新許可手段は、過変調判断手段および弱電界判断手段のいずれか一方による判断結果に基づいて係数の更新動作を抑制するので、より高精度な制御が可能となり、適応フィルタによるマルチパスノイズ軽減での従来手法による技術的、性能的欠点を補い、無線電波の信号を快適に受信することが可能となる。
【手続補正４５】
【補正対象書類名】明細書
【補正対象項目名】００５８
【補正方法】変更
【補正の内容】
【００５８】
さらに本発明によれば、判断ステップにおいて、係数の変更によって信号が劣化してしまう条件が成立しているか否かを判断する。条件が成立していると判断すると、更新許可ステップにおいて、更新動作を抑制する。したがって、マルチパスノイズ軽減での従来手法による技術的、性能的欠点を補い、無線電波の信号を快適に受信することが可能となる。
【手続補正４６】
【補正対象書類名】明細書
【補正対象項目名】００５９
【補正方法】変更
【補正の内容】
【００５９】
さらに本発明によれば、過変調判断ステップにおいて、信号に過変調が生じているか否かを判断し、弱電界判断ステップにおいて、信号の電界強度が弱電界以下の電界強度であるか否かを判断する。過変調判断ステップでは、変調度検出ステップにおいて検出された変調度と帯域通過フィルタによって制限された通過帯域との比較を第１比較ステップによって行う。弱電界判断ステップでは、電界情報取得ステップによって取得された信号からの電界強度情報が、弱電界であるか否かを第２比較ステップによって判断する。更新許可ステップにおいて、過変調判断ステップおよび弱電界判断ステップのいずれか一方による判断結果に基づいて係数の更新動作を抑制する。したがって、より高精度な制御が可能となり、マルチパスノイズ軽減での従来手法による技術的、性能的欠点を補い、無線電波の信号を快適に受信することが可能となる。
【手続補正４７】
【補正対象書類名】明細書
【補正対象項目名】００７０
【補正方法】変更
【補正の内容】
【００７０】
図４は、本発明の実施のさらに他の形態としてのマルチパスノイズ軽減装置５０の概略的な構成を示す。マルチパスノイズ軽減装置５０では、図１のマルチパスノイズ軽減装置２０の過変調判断手段２１に代えて、弱電界判断手段５２が用いられる。受信装置５３は、アナログ受信処理部２７などで、自動利得制御（ＡＧＣ）などのために電界強度情報を生成している。弱電界判断手段５２は、電界情報取得手段５４で電界強度情報を取得し、比較器５６で弱電界か否かを比較する。弱電界は、ＩＦ信号にホワイトノイズによるエンベロープが発生する電界強度以下の状態とする。弱電界判断手段５２は、弱電界以下の電界強度では、ＡＤＦ２１の動作を禁止する制御を行う。これによって、電界強度が弱い時にＡＤＦ動作をＯＦＦにすることができ、マルチパスノイズ軽減と弱電界時の歪み特性の劣化防止との両立を可能とすることができる。
【手続補正４８】
【補正対象書類名】明細書
【補正対象項目名】００８４
【補正方法】変更
【補正の内容】
【００８４】
図１６は、本発明の実施のさらに他の形態としてのマルチパスノイズ軽減装置１００の概略的な構成を示す。マルチパスノイズ軽減装置１００では、外来ノイズ判断手段１０２がＩＦ信号に外来ノイズ混入と判断すると、ＡＤＦ２１の動作を禁止する。受信装置１０３では、目的の無線電波とともに、外来ノイズが混入する場合がある。外来ノイズ判断手段１０２は、SideSpectrum部抽出用フィルタ１０４および比較／制御フラグ生成部１０５を含む。外来ノイズの周波数成分は全帯域に存在しているために、ＩＦ信号に混入した外来ノイズ検出は、図１７に示す−Δｆｍａｘ〜Δｆｍａｘ以外のSideSpectrum部分を抽出して行う。ただし、発生時間が短い単発系のノイズに対しては制御を行わずに、ある程度長い外来ノイズに対してその発生区間はＡＤＦ２１の動作を禁止するようにすることが好ましい。比較／制御フラグ生成部１０５は、そのような発生時間による制御を、たとえば、図１０および図１１のような時定数を掛けることなどで行う。